(57)【要約】【課題】調光操作卓側に不具合が生じても、再度、割付作業をする手間と時間を省き、スタジオの運用への影響を少なくできる回路制御卓を提供する。【解決手段】回路制御卓14は、タッチパネル式のモニタ31および割付制御部32を有する。モニタ31は、スタジオに設置される複数の照明負荷11に対応してこれら複数の照明負荷11を選択する複数の選択部を表示し、選択可能とする。割付制御部32は、複数のフェーダ23を有する調光操作卓13の各フェーダ23に対応してモニタ31の選択部で選択される照明負荷11を割り付け、この割り付けた割付情報を記憶するとともに出力可能とする。【選択図】図１
2013187180.tif 000002
【特許請求の範囲】
【請求項１】
スタジオに設置される複数の照明負荷に対応してこれら複数の照明負荷を選択する複数の選択部を有する入力手段と；
複数のフェーダを有する調光操作卓の各フェーダに対応して入力手段の選択部で選択される照明負荷を割り付け、この割り付けた割付情報を記憶するとともに出力可能とする割付制御部と；
を具備していることを特徴とする回路制御卓。
【請求項２】
割付制御部は、割付情報を割り付けた調光操作卓とは異なる別の調光操作卓に対し、記憶している割付情報をその別の調光操作卓に適用する
ことを特徴とする請求項１記載の回路制御卓。
【請求項３】
入力手段としてタッチパネル式のモニタを備え、
割付制御部は、スタジオに設置される複数の照明負荷のレイアウトに対応して複数の選択部をモニタに表示させ、このモニタに表示させた選択部の選択入力を受け付ける
ことを特徴とする請求項１または２記載の回路制御卓。
【請求項４】
割付制御部は、照明負荷の調光レベルに関する情報を取得し、この照明負荷の調光レベルに関する情報をモニタの対応する選択部に表示させる
ことを特徴とする請求項３記載の回路制御卓。
【請求項５】
割付制御部は、ネットワークに接続され、ネットワークを通じて他の機器へ記憶している割付情報を出力する
ことを特徴とする請求項１ないし４いずれか一記載の回路制御卓。
【請求項６】
請求項１ないし５いずれか一記載の回路制御卓と；
複数のフェーダを有し、回路制御卓からの割付情報に基づいて各フェーダに割り付けられている照明負荷を制御する調光操作卓と；
を具備していることを特徴とするスタジオ照明システム。
【発明の詳細な説明】
【技術分野】
【０００１】
本発明は、複数の照明負荷が設置されたスタジオの運用に用いられる回路制御卓、およびこの回路制御卓を用いたスタジオ照明システムに関する。
【背景技術】
【０００２】
従来、スタジオ照明においては、スタジオに設置される複数の照明負荷の調光レベルを操作するために調光操作卓が用いられている。この調光操作卓は、複数のフェーダを備えており、各フェーダを操作することによって各フェーダに予め割り付けられている複数の照明負荷の調光レベルを調整するようになっている。
【０００３】
そして、調光操作卓の各フェーダに対応して複数の照明負荷を割り付けるために、いわゆるパッチと呼ばれている割付作業が行われている。
【０００４】
この割付作業には、調光操作卓の制御部の入力端末として機能する割付機能に特化した装置が用いられている。すなわち、この割付作業を効率的にするために割付機能に特化した装置は、テレビスタジオなどで一般に回路制御卓と呼ばれ、筐体のパネル上に、スタジオに設置される複数の照明負荷のレイアウトに対応して複数の物理的なスイッチが配列され、これらスイッチが押されることでその選択情報を調光操作卓の制御部に送るようにしている。そして、割付作業では、調光操作卓の複数のフェーダの１つずつに対応して、回路制御卓のスイッチを押して照明負荷を選択していく。
【０００５】
そして、調光操作卓の制御部は、各フェーダに対応して回路制御卓のスイッチが押されて選択された照明負荷を割り付け、この割り付けた割付情報を記憶する。さらに、調光操作卓の制御部は、各フェーダの操作時に、記憶している割付情報に基づいて各フェーダに予め割り付けられている複数の照明負荷の調光レベルを調整する。
【先行技術文献】
【特許文献】
【０００６】
【特許文献１】特開２０１０−７３６２９号公報
【発明の概要】
【発明が解決しようとする課題】
【０００７】
しかしながら、従来の回路制御卓は、調光操作卓の制御装置の入力端末として機能しているため、調光操作卓側に不具合があると、回路制御卓も使用できなくなってしまう。
【０００８】
しかも、調光操作卓の制御部が割付情報を記憶しているため、調光操作卓側に不具合があって割付情報が消えてしまったり、別の調光操作卓を持ち込んで使用する場合には、再度、最初から割付作業をしなければならず、手間と時間がかかり、スタジオの運用に影響する問題がある。
【０００９】
本発明が解決しようとする課題は、調光操作卓側に不具合が生じても、再度、割付作業をする手間と時間を省き、スタジオの運用への影響を少なくできる回路制御卓、およびこの回路制御卓を用いたスタジオ照明システムを提供することである。
【課題を解決するための手段】
【００１０】
本発明の回路制御卓は、入力手段および割付制御部を有する。入力手段は、スタジオに設置される複数の照明負荷に対応してこれら複数の照明負荷を選択する複数の選択部を有する。割付制御部は、複数のフェーダを有する調光操作卓の各フェーダに対応して入力手段の選択部で選択される照明負荷を割り付け、この割り付けた割付情報を記憶するとともに出力可能とする。
【発明の効果】
【００１１】
本発明の回路制御卓によれば、複数のフェーダを有する調光操作卓の各フェーダに対応して入力手段の選択部で選択される照明負荷を割り付け、この割り付けた割付情報を記憶する割付制御部を備えるため、調光操作卓側に不具合が生じても、回路制御卓側で割付情報を保持でき、再度、割付作業をする手間と時間を省き、スタジオの運用への影響を少なくできる。
【図面の簡単な説明】
【００１２】
【図１】一実施形態を示す回路制御卓およびスタジオ照明システムのブロック図である。
【図２】同上回路制御卓のモニタに表示する画面の例を示す正面図である。
【発明を実施するための形態】
【００１３】
以下、一実施形態を、図１および図２を参照して説明する。
【００１４】
図１に示すように、スタジオ照明システム10は、スタジオの運用時に、スタジオに設置されている複数の照明負荷（照明装置）11を演出シーンなどに応じて制御する。
【００１５】
スタジオ照明システム10は、複数の照明負荷11を制御する複数の調光器12、各照明負荷の調光レベルを調整する調光操作卓13、および回路制御卓14を備え、これらが例えばＬＡＮなどのネットワーク15に接続されている。そして、通信には、ＤＭＸ５１２という信号プロトコルが使用される。
【００１６】
また、各調光器12は、調光操作卓13から送信されてくる自己のアドレスの調光信号を入力し、各照明負荷11の調光レベルを制御する。
【００１７】
また、調光操作卓13は、調光操作卓本体21、およびこの調光操作卓本体21内に配置されている調光操作制御部22を有している。なお、図１では調光操作卓本体21と調光操作制御部22とを分けて図示している。
【００１８】
調光操作卓本体21には、照明負荷11の調光レベルを調整するための複数のフェーダ23を含む複数の操作部24が設けられている。
【００１９】
調光操作制御部22は、回路制御卓14から各フェーダ23に対応して複数の照明負荷11が割り付けられている割付情報を取得し、記憶している。そして、調光操作制御部22は、各フェーダ23が操作されることにより、割付情報に基づいて各フェーダ23に割り付けられている複数の照明負荷11の調光レベルを可変する調光信号を対応する調光器12に対して出力する。
【００２０】
また、回路制御卓14は、入力手段としてのタッチパネル式のモニタ31、および割付制御部32を有している。割付制御部32は、モニタ31に一体に組み込まれていてもよいし、モニタ31とは別体に設けてモニタ31には映像ケーブルなどで接続するようにしてもよい。
【００２１】
モニタ31は、表示手段としての大型で平面形の液晶ディスプレイ33、およびこの液晶ディスプレイ33の前面に設けられたタッチパネル34を有している。タッチパネル34には、静電容量式、赤外線遮光式、三角測量式、表面弾性波式、抵抗膜式、カメラ式などのいずれの検知方式を用いてもよい。例えば、静電容量式の場合には、パネル面に透明な電極を縦方向、横方向の格子状に配線し、操作者の指が触れた際に生じる静電容量の変化からパネル面でのタッチ位置を検知するようになっている。
【００２２】
図２には、モニタ31に表示する画面の例を示す。スタジオに設置される複数の照明負荷11のレイアウトに対応して複数の選択部35を配置して表示するレイアウト表示領域36、および割り付けるフィーダ23を選択したり画面を切り換えるといった各種操作を行う操作表示領域37を有する。
【００２３】
割付制御部32は、２セットのＣＰＵを含む２系統の制御系を有し、２系統の制御系を同時に動作させ、同じ制御を常時させておき、そのうちの１系統の制御系で通常制御を行い、その１系統の制御系に不具合が生じた場合にはもう１系統の制御系に切り替えるように構成されている。
【００２４】
割付制御部32は、ソフトウエアによって構成された各種機能を有している。すなわち、割付制御部32は、図２に示す画面の例を含む各種の画面をモニタ31に表示させる表示制御機能を有している。この表示制御機能により、モニタ31に、スタジオに設置される複数の照明負荷11のレイアウトに対応して複数の選択部35を表示する。さらに、割付制御部32は、タッチパネル34によって検知されるタッチ位置の情報をタッチパネル34から取得し、取得したタッチ位置とモニタ31に表示させた各選択部35の位置との位置関係から、操作者がタッチして選択した選択部35を特定する機能を有している。
【００２５】
そして、割付制御部32は、調光操作卓13の各フェーダ23に対応してモニタ31の選択部35で選択される照明負荷11を割り付け、各フェーダ23に割り付けた割付情報（パッチデータ）を割付制御部32が有する記憶部に記憶するとともにネットワーク15を通じて他の機器へ出力する。
【００２６】
さらに、割付制御部32は、割付情報を割り付けた調光操作卓13とは異なる別の調光操作卓に対し、記憶している割付情報をその別の調光操作卓に適用する機能を有している。
【００２７】
さらに、割付制御部32は、照明負荷11の調光レベルに関する情報を取得し、この照明負荷11の調光レベルに関する情報をモニタ31の対応する選択部35に表示させる機能や、調光操作卓13および調光器12から各種情報を取得し、その情報を表示したり、異常がある場合にアラーム表示を表示したり、あるいは伝言情報を表示させる機能を有している。
【００２８】
次に、本実施形態の動作を説明する。
【００２９】
割付作業時には、回路制御卓14は、図２に示すように、モニタ31に、スタジオに設置される複数の照明負荷11のレイアウトに対応して複数の選択部35を表示する。さらに、回路制御卓14は、調光操作卓13の調光制御用情報（フェーダ23などの情報）を取得する。
【００３０】
操作者は、モニタ31を見ながら、割付作業する調光操作卓13のフェーダ23を操作表示領域37をタッチして選択するとともに、調光操作卓13の各フェーダ23に対応して割り付ける照明負荷11をモニタ31の選択部35をタッチすることで選択する。
【００３１】
回路制御卓14は、調光操作卓13の各フェーダ23に対応してモニタ31の選択部35で選択される照明負荷11を割り付け、各フェーダ23に割り付けた割付情報（パッチデータ）を記憶する。記憶した割付情報は、ネットワーク15を通じて他の機器へ出力可能とする。
【００３２】
また、調光操作卓13は、回路制御卓14から割付情報を取得し、記憶する。そして、各フェーダ23が操作されることにより、割付情報に基づいて各フェーダ23に割り付けられている複数の照明負荷11の調光レベルを可変する調光信号を対応する調光器12に対して出力する。これにより、各調光器12は、調光操作卓13から送信されてくる調光信号を入力し、各照明負荷11の調光レベルを制御する。
【００３３】
ところで、調光操作卓13に不具合が発生した場合でも、割付制御部32を有する回路制御卓14は機能を維持することができる。
【００３４】
そのため、調光操作卓13に不具合が発生し、調光操作制御部22に記憶されていた割付情報が消えた場合でも、調光操作卓13の不具合の解消後に、回路制御卓14に記憶されている割付情報を調光操作卓13が取得することができる。これにより、再度、割付作業をする手間と時間を省くことができ、スタジオの運用への影響を少なくできる。
【００３５】
また、調光操作卓13に不具合が発生して機能しなくなった場合には、その調光操作卓13をネットワーク15から外し、その調光操作卓13とは異なる別の調光操作卓を持ち込んでネットワーク15に接続する。この別の調光操作卓は、緊急時用に準備されていたもの、他のスタジオで使用していないものなどで、対応する割付情報は入れられていない。なお、別の調光操作卓は、割付情報を割り付けた調光操作卓13と同種の調光操作卓でもよいし、異なる種類の調光操作卓でもよく、ＤＭＸ信号を用いる機器であればよい。
【００３６】
そして、回路制御卓14の調光操作制御部22では、記憶している割付情報を交換後の調光操作卓に対して適用することができる。例えば、交換後の調光操作卓から調光制御用情報（フェーダの情報）を取り込み、その調光制御用情報のうちの１番目の調光制御用情報（１番目のフェーダの情報）に対して本来の調光操作卓13の１番目のフェーダ23に割り付けられている割付情報を仮想的に振り替え、同様にして続く調光制御用情報（フェーダの２番目、３番目……の情報）に対して本来の調光操作卓13の２番目、３番目……と続くフェーダ23に割り付けられている割付情報を仮想的に振り替える。これにより、交換後の調光操作卓のフェーダを操作してスタジオの運用に必要な照明制御を行うことができる。
【００３７】
このように、調光操作卓を交換しても、再度、割付作業をする手間と時間を省いて、スタジオの運用に必要な照明制御を行うことができ、スタジオの運用への影響を少なくできる。なお、スタジオの運用後に次の運用までに時間があるときに、交換した調光操作卓に合わせて、再度、割付作業をしてもよい。
【００３８】
このように、回路制御卓14によれば、調光操作卓13の各フェーダ23に対応してモニタ31の選択部35で選択される照明負荷11を割り付け、この割り付けた割付情報を記憶する割付制御部32を備えるため、調光操作卓13側に不具合が生じても、回路制御卓14側で割付情報を保持でき、再度、割付作業をする手間と時間を省き、スタジオの運用への影響を少なくできる。
【００３９】
また、割付制御部32は、２セットのＣＰＵを含む２系統の制御系を有し、２系統の制御系を同時に動作させ、同じ制御を常時させておき、そのうちの１系統の制御系で通常制御を行い、その１系統の制御系に不具合が生じた場合にはもう１系統の制御系に切り替えることにより、運用時のリスクを下げることができる。
【００４０】
また、割付制御部32は、割付情報をネットワーク15を通じて、同じネットワーク15内に接続された調光操作卓13や可搬型のパソコン41などに送ることができ、各機器で割付情報を共有できる。パソコン41は、実際のスタジオで照明制御の確認に用いられる。
【００４１】
また、従来の回路制御卓は、筐体の板金パネル上に、スタジオに設置される複数の照明負荷のレイアウトに対応して複数の物理的なスイッチを配列し、これらスイッチが押されることでその選択情報を調光操作卓に送るようにしている。そのため、スタジオ毎に照明負荷の配列が異なるため、スタジオ毎に専用の回路制御卓を製造する必要があり、回路制御卓を標準化できず、高価になっていた。
【００４２】
本実施形態の回路制御卓14では、モニタ31を用い、割付制御部32により、スタジオに設置される複数の照明負荷11のレイアウトに対応して複数の選択部35をモニタ31に表示させるとともに、このモニタ31に表示させた選択部35の選択入力を受け付けることができるため、スタジオ毎にソフト的な変更は必要であるが、回路制御卓14のハード的な構成については標準化でき、安価に提供できる。
【００４３】
また、割付制御部32により調光操作卓13や調光器12から各照明負荷11の調光レベルの情報を取得し、モニタ31に表示する選択部35の側部や内側に調光レベルを示す数字やグラフあるいは色を表示する。これにより、回路制御卓14側で各照明負荷11の制御状況を確認することができる。
【００４４】
さらに、モニタ31の操作表示領域37を操作して画面を切り替えることにより、調光操作卓13や調光器12から取得される情報から、各照明負荷11の監視情報を表示したり、過負荷や漏電、温度異常などが生じている場合にアラーム情報を表示したり、現在制御しているスタジオの電力使用量を表示するとともに電力使用量が増えた場合にはそのときの状況に応じて全体の照明負荷11または特定の照明負荷11の出力を絞るためのスイッチを表示させる。また、次のスタジオの使用者のために、連絡事項や注意事項などの通知情報（メモ）をモニタ31に表示させてもよい。この通知情報の入力には、モニタ31にソフトウエアキーボードを表示して入力できるようにしてもよい。このように、モニタ31によって各種情報を表示できるため、回路制御卓14にいろいろな機能を持たせることが可能となる。
【００４５】
なお、調光操作卓13の不具合で動作しなくなった緊急時に、回路制御卓14のモニタ31に調光操作卓の操作面を表示させ、バーチャル画面での簡易操作を可能としてもよい。
【００４６】
また、回路制御卓14には、モニタとキーボードやマウスなどの入力手段とを有するパソコンを用いてもよい。
【符号の説明】
【００４７】
10    スタジオ照明システム
11    照明負荷
13    調光操作卓
14    回路制御卓
15    ネットワーク
23    フェーダ
31    入力手段としてのモニタ
32    割付制御部
35    選択部
【図１】
2013187180.tif 000003
【図２】
2013187180.tif 000004